(57)【要約】【課題】シャッタの施錠装置に於いて、防犯性能を向上させる。【解決手段】シャッタカーテンの先端部材９と、前記シャッタカーテン閉鎖時に前記先端部材と当接する枠体５のいずれか一方に鍵受け片１９を設け、該鍵受け片を介して前記先端部材と前記枠体間を施錠する。【選択図】        図１
2004332437.tif 000002
【特許請求の範囲】
【請求項１】
シャッタカーテンの先端部材と、前記シャッタカーテン閉鎖時に前記先端部材と当接する枠体のいずれか一方に鍵受け片を設け、該鍵受け片を介して前記先端部材と前記枠体間で施錠されることを特徴とするシャッタの施錠装置。
【請求項２】
前記先端部材に該先端部材の長手方向に摺動自在に鍵バーが設けられ、前記枠体に鍵受け片が設けられ、該鍵受け片と前記鍵バーとを係合離脱可能とした請求項１のシャッタの施錠装置。
【請求項３】
前記枠体に鍵受け片を回転可能に設け、前記先端部材に鍵部を設け、該鍵部と前記鍵受け片とを係合離脱可能とした請求項１のシャッタの施錠装置。
【請求項４】
前記先端部材に鍵受け片を回転可能に設け、前記枠体に鍵部を設け、該鍵部と前記鍵受け片とを係合離脱可能とした請求項１のシャッタの施錠装置。
【請求項５】
前記先端部材に鍵受け片を設け、前記枠体に鍵部材を摺動可能に設け、該鍵部材と前記鍵受け片とを係合離脱可能とした請求項１のシャッタの施錠装置。
【発明の詳細な説明】
【０００１】
【発明の属する技術分野】
本発明は、建物等の構造物の出入口、窓等の開口部を開閉するシャッタ、特にシャッタの施錠装置に関するものである。
【０００２】
【従来の技術】
建物等の構造物の出入口、窓等の開口部を開閉する装置としてシャッタがあり、該シャッタはスラット、パネル等を屈曲自在に連結したシャッタカーテンをガイドレールに沿って移動させることで開口部を開閉する様になっている。
【０００３】
図７はシャッタの全体を示すものであり、図中、１は建物等構造物の躯体、２は該躯体１に形成された開口部２、３は該開口部２の両側端部に設けられたガイドレール、４は該ガイドレール３の上端に設けられたシャッタケースであり、５は前記ガイドレール３の下端に設けられた枠体である。前記ガイドレール３、前記シャッタケース４、前記枠体５は建物等の前記躯体１にそれぞれ取付けられている。
【０００４】
前記シャッタケース４の内部には固定シャフト６が設けられ、該固定シャフト６を中心に巻取りリング７が回転自在に設けられ、該巻取りリング７にシャッタカーテン８の上端が固着され、該シャッタカーテン８は下端に先端部材（以下座板）９を有している。前記巻取りリング７と前記固定シャフト６間にはバランススプリング１１が設けられている。
【０００５】
前記シャッタケース４に収納される前記シャッタカーテン８は、前記ガイドレール３に沿って昇降され、前記バランススプリング１１は前記シャッタカーテン８を巻取り方向に付勢している。
【０００６】
前記シャッタは、閉鎖時に前記シャッタカーテン８に対して施錠が可能な施錠装置１２（後述）を具備している。
【０００７】
図８により従来のシャッタの施錠装置１２について説明する。
【０００８】
ガイドレール３の下端部に、ガイド溝１３に突出する鍵受け１４が設けられている。該鍵受け１４は帯板を３角鋸歯形状に屈曲成形したものであり、頂点より上側の上辺を斜面に、頂点より下側の下辺を前記ガイド溝１３の底面に対して垂直としたものである。
【０００９】
前記シャッタカーテン８の下端の前記座板９は中空となっており、該座板９の内部に鍵バー１５が前記座板９の長手方向に摺動可能に設けられている。前記鍵バー１５は図示しないスプリングにより突出方向に付勢され、先端部が突出する様に保持され、前記鍵バー１５の先端部の下側はテーパ又は円弧形状に仕上げられている。該鍵バー１５の先端部が前記鍵受け１４の斜面に当接し、更に前記鍵バー１５に下方の力が作用することで、前記鍵受け１４の斜面と前記鍵バー１５の先端部との間で滑りを生じ、該鍵バー１５は前記座板９内に押込まれる。
【００１０】
図８は、前記シャッタカーテン８が最下端迄降下し、施錠された状態を示している。
【００１１】
前記鍵バー１５の先端部が前記鍵受け１４を乗越え、図示しないスプリングにより突出され、前記鍵バー１５が前記鍵受け１４に係合し、施錠される。
【００１２】
解錠は、人が鍵を介して、或は前記鍵バー１５を直接スライドさせる等して、該鍵バー１５を前記座板９内に引込み、前記鍵バー１５と前記鍵受け１４間の係合を解除することで行われる。尚、施錠する方法として、前記鍵バー１５をスプリングにより付勢するのではなく、鍵等により人手で前記鍵バー１５を突出方向にスライドさせ、施錠してもよい。
【００１３】
尚、上記した従来例と同様に、特許文献１にはガイドレールの底面に鍵受けを取付け、シャッタカーテンに設けた爪片が前記鍵受けと係合して施錠が行われるシャッタの施錠装置が示されている。
【００１４】
【特許文献１】
特開平１１−０５０７１１号公報
【００１５】
【発明が解決しようとする課題】
上記した従来のシャッタでは、図９に示される様に前記ガイドレール３が故意に変形させられた場合、施錠装置による正常な施錠状態の維持に支障を来す虞れがある。
【００１６】
本発明は斯かる実情に鑑み、ガイドレールが故意に変形させられた場合でも、施錠状態を維持し、防犯性能を向上させるものである。
【００１７】
【課題を解決するための手段】
本発明は、シャッタカーテンの先端部材と、前記シャッタカーテン閉鎖時に前記先端部材と当接する枠体のいずれか一方に鍵受け片を設け、該鍵受け片を介して前記先端部材と前記枠体間で施錠されるシャッタの施錠装置に係り、又前記先端部材に該先端部材の長手方向に摺動自在に鍵バーが設けられ、前記枠体に鍵受け片が設けられ、該鍵受け片と前記鍵バーとを係合離脱可能としたシャッタの施錠装置に係り、又前記枠体に鍵受け片を回転可能に設け、前記先端部材に鍵部を設け、該鍵部と前記鍵受け片とを係合離脱可能としたシャッタの施錠装置に係り、又前記先端部材に鍵受け片を回転可能に設け、前記枠体に鍵部を設け、該鍵部と前記鍵受け片とを係合離脱可能としたシャッタの施錠装置に係り、更に又前記先端部材に鍵受け片を設け、前記枠体に鍵部材を摺動可能に設け、該鍵部材と前記鍵受け片とを係合離脱可能としたシャッタの施錠装置に係るものである。
【００１８】
【発明の実施の形態】
以下、図面を参照しつつ本発明の実施の形態を説明する。
【００１９】
図１、図２中、図７中に示したものと同等のものには同符号を付してある。
【００２０】
座板９の先端を、ガイド溝１３の底面の略近傍迄延出させ、前記座板９の先端部下面に所要長さの切欠部１７を形成する。又、前記座板９の端部開口部に少なくとも１本のピン１８（図では２本）を掛渡して固着する。
【００２１】
前記座板９の内部には、鍵部材として鍵バー１５を長手方向に摺動自在に設け、図示しないスプリングにより前記ガイド溝１３側に付勢している。前記鍵バー１５の先端部下側はテーパ又は円弧形状に仕上げられている。
【００２２】
枠体５の前記切欠部１７と対向する位置に、鍵受け片１９が固着立設される。該鍵受け片１９は前記切欠部１７に遊嵌可能であり、上端部に内側に向って係合部１９ａが形成される様、凹部２１が凹設されている。又、前記係合部１９ａの上角部は面取（又はＲ面取）されており、上角部が前記鍵バー１５の先端部に当接する様になっている。
【００２３】
図１はシャッタカーテン８が略閉じられ、前記座板９が前記枠体５近傍に位置した状態を示している。前記シャッタカーテン８が更に降下すると、前記鍵バー１５の先端部が前記鍵受け片１９の上端に当接し、前記鍵バー１５の先端部のテーパ又は円弧形状と前記係合部１９ａの面取（又はＲ面取）との間の摺接により、前記鍵バー１５が前記鍵受け片１９より離反する方向に移動される。
【００２４】
図２に示される様に、前記シャッタカーテン８が完全に閉鎖されると、前記鍵バー１５が前記係合部１９ａを乗越え、前記鍵バー１５の先端部が前記凹部２１に嵌合し、前記シャッタカーテン８は前記枠体５に前記鍵バー１５、前記鍵受け片１９を介して固定され、施錠される。
【００２５】
施錠された状態では、該鍵受け片１９は前記座板９内部に嵌入され、更に前記ピン１８により前記鍵受け片１９が前記座板９の開口部から外側に相対移動することが拘束される。
【００２６】
上記実施の形態では、前記シャッタカーテン８は前記枠体５との間で施錠されるので、前記ガイドレール３を無理に変形させた場合でも、前記鍵バー１５と鍵受け片１９との関係には何ら影響せず、前記ガイドレール３を完全に除去したとしても、前記鍵バー１５は前記鍵受け片１９から外れることはない。従って、防犯性能が向上する。
【００２７】
解錠は、前記鍵バー１５を所要の手段で前記鍵受け片１９から離反する方向に摺動させることで可能となる。
【００２８】
尚、前記鍵バー１５をスプリングで付勢せず、鍵等により前記鍵バー１５をスライドさせ施錠を行う様にしてもよい。
【００２９】
図３は第２の実施の形態を示している。
【００３０】
枠体５に鍵受け片２２が回転自在に設けられ、該鍵受け片２２は図示しないスプリングにより前記ガイド溝１３から離反する方向（図３中時計方向）に回転する様付勢されると共に自由状態では直立が維持される様になっている。前記鍵受け片２２には係合部２２ａが形成される様凹部２１が凹設され、前記係合部２２ａの上角部は面取（又はＲ面取）されている。
【００３１】
座板９の端部下面には前記鍵受け片２２と対向する位置に切欠部１７が形成され、該切欠部１７より上方に鍵部として鍵ピン２３が前記座板９の表裏に掛渡って設けられ、前記鍵ピン２３は前記係合部２２ａの上角部に当接する様になっている。尚、鍵部としては板片であってもよい。又、鍵ピン２３の様に一体的に取付けられた別部材であってもよく、座板９（先端部材）に一体成形された部位であってもよい。
【００３２】
該第２の実施の形態に於いて、前記座板９が降下すると、前記鍵ピン２３が前記係合部２２ａの上角部に当接し、前記鍵受け片２２を反時計方向に回転させ、前記鍵ピン２３が前記係合部２２ａを乗越えて、前記凹部２１に嵌合する。
【００３３】
而して、前記座板９は前記鍵ピン２３、前記鍵受け片２２を介して前記枠体５に固定される。
【００３４】
解錠は、前記鍵受け片２２を所要の手段で回転させることで行う。例えば、鍵等で該鍵受け片２２の軸を直接回転させるか、或はワイヤを介して該鍵受け片２２を回転させるか等して前記鍵ピン２３と前記鍵受け片２２間の係合を解除する。
【００３５】
図４は第３の実施の形態を示している。
【００３６】
座板９の端部下面には切欠部１７が形成され、該切欠部１７より上方に軸ピン２４が前記座板９の表裏に掛渡って設けられ、前記軸ピン２４に鍵受け片２５が回転自在に設けられている。該鍵受け片２５は下端部が鏃形状となっており、図示しないスプリングにより前記ガイドレール３より離反方向（図４中反時計方向）に回転する様付勢され、前記鍵受け片２５は前記切欠部１７の端面に当接し、垂直状態が維持される様になっている。
【００３７】
枠体５の前記鍵受け片２５と対向する位置に鍵孔２６，２７が設けられ、前記鍵受け片２５は前記鍵孔２６の孔縁に摺接して回転する様になっている。第３の実施の形態の場合、前記枠体５の一部が鍵部として機能する。
【００３８】
前記座板９が降下すると、前記鍵受け片２５が前記鍵孔２６の孔縁に当って回転し、前記鍵受け片２５の下端部が前記鍵孔２６を通過すると、前記鍵受け片２５がスプリングにより復帰し、該鍵受け片２５の先端部が前記枠体５に係合する。前記鍵孔２７は前記枠体５と前記鍵受け片２５との係合を干渉しない様にする逃げ孔である。
【００３９】
解錠は、前記鍵受け片２５を所要の手段で回転させることで行う。例えば、鍵等で前記軸ピン２４を直接回転させるか、或はワイヤを介して前記鍵受け片２５を回転させるか等して前記鍵受け片２５と前記枠体５との係合を解除する。
【００４０】
尚、第３の実施の形態では、前記枠体５に形成された前記鍵孔２６、鍵孔２７等前記枠体５の一部が鍵部として機能したが、鍵部を別部品とし、前記枠体５に一体的に取付け固定してもよい。
【００４１】
図５は第４の実施の形態を示している。
【００４２】
座板９に鍵受け片２８を螺子等の所要の固着具２９で下方に突出する様固着する。前記鍵受け片２８の下端部は鏃形状となっている。枠体５の前記鍵受け片２８と対向する位置に鍵孔２６，２７が穿設され、前記鍵孔２６の裏面側には鍵バー３１が摺動自在に設けられ、該鍵バー３１は図示しないスプリングにより前記ガイドレール３方向に付勢されていると共に先端が前記鍵受け片２８の下端部の斜辺部に当接する様位置決めされている。
【００４３】
前記座板９が降下すると、前記鍵受け片２８が前記鍵孔２６に嵌入し、更に前記鍵バー３１に当接して、該鍵バー３１を図中右方に移動させる。前記座板９が完全に降下すると、前記鍵受け片２８の下端部は前記鍵バー３１を通過し、該鍵バー３１はスプリングにより図中左方に移動され、前記鍵バー３１と前記鍵受け片２８とが係合して、前記座板９（シャッタカーテン８）は前記鍵受け片２８、前記鍵バー３１を介して前記枠体５に施錠される。
【００４４】
解錠は、前記鍵バー３１を所要の手段でスライドさせることで行う。例えば、鍵等を介してスライドさせるか、或は鍵バー３１をレバー等で直接スライドさせ、前記座板９と前記枠体５との係合を解除する。
【００４５】
上記した第２の実施の形態乃至第４の実施の形態に於いても、第１の実施の形態と同様、前記シャッタカーテン８は前記鍵受け片２２，２５，２８を介して枠体５との間で施錠される為、前記ガイドレール３を無理に変形させた場合でも、前記座板９と前記枠体５間の施錠状態には何ら影響せず、前記ガイドレール３を完全に除去したとしても、前記鍵ピン２３、鍵孔２６、鍵バー３１はそれぞれ前記鍵受け片２２，２５，２８から外れることはない。
【００４６】
而して、防犯性能が向上する。
【００４７】
図６は第５の実施の形態を示している。
【００４８】
該第５の実施の形態では、鍵受け片３２をガイドレール３に取付けたものである。
【００４９】
座板９の内部には鍵バー１５が長手方向に摺動自在に設けられ、前記座板９の端部はガイド溝１３の底面近傍迄延び、前記座板９の端部下面には切欠部１７が形成されている。
【００５０】
前記鍵受け片３２を前記ガイド溝１３の底面に固着し、シャッタカーテン８が完全に閉鎖された状態では、前記鍵受け片３２が前記切欠部１７を通って前記座板９に収納される様になっている。
【００５１】
前記鍵受け片３２には係合部３２ａが形成され、該係合部３２ａが前記鍵バー１５と係合離脱可能となっている。
【００５２】
前記シャッタカーテン８が完全に閉鎖されると、前記鍵バー１５は前記係合部３２ａを乗越え、該係合部３２ａと係合し、前記鍵受け片３２と前記鍵バー１５を介して前記ガイドレール３と前記座板９間で施錠される。
【００５３】
施錠状態で図９で示した様に前記ガイドレール３が変形されても、前記鍵受け片３２は前記座板９に収納されているので、前記シャッタカーテン８の施錠が解除されることがない。
【００５４】
尚、解錠については第１の実施の形態で示したと同様に行われる。
【００５５】
而して、第５の実施の形態に於いても防犯性能が高められる。
【００５６】
尚、本発明は横引式のシャッタにも実施可能であることは言う迄もない。
【００５７】
【発明の効果】
以上述べた如く本発明によれば、シャッタカーテンの先端部材と、前記シャッタカーテン閉鎖時に前記先端部材と当接する枠体のいずれか一方に鍵受け片を設け、該鍵受け片を介して前記先端部材と前記枠体間で施錠されるので、ガイドレールが故意に変形させられた場合でも、施錠状態が維持され、防犯性能が向上するという優れた効果を発揮する。
【図面の簡単な説明】
【図１】本発明の第１の実施の形態を示す要部斜視図である。
【図２】同前第１の実施の形態に於ける施錠状態を示す要部斜視図である。
【図３】本発明の第２の実施の形態を示す要部斜視図である。
【図４】本発明の第３の実施の形態を示す要部斜視図である。
【図５】本発明の第４の実施の形態を示す要部斜視図である。
【図６】本発明の第５の実施の形態を示す要部斜視図である。
【図７】シャッタの全体を示す斜視図である。
【図８】従来例の要部斜視図である。
【図９】従来例の要部の平断面図である。
【符号の説明】
１          躯体
３          ガイドレール
４          シャッタケース
５          枠体
８          シャッタカーテン
９          座板
１３        ガイド溝
１５        鍵バー
１７        切欠部
１８        ピン
１９        鍵受け片
１９ａ      係合部
２１        凹部
２２        鍵受け片
２２ａ      係合部
２３        鍵ピン
２５        鍵受け片
２６        鍵孔
２８        鍵受け片
３１        鍵バー
３２        鍵受け片
３２ａ      係合部
【図１】
2004332437.tif 000003
【図２】
2004332437.tif 000004
【図３】
2004332437.tif 000005
【図４】
2004332437.tif 000006
【図５】
2004332437.tif 000007
【図６】
2004332437.tif 000008
【図７】
2004332437.tif 000009
【図８】
2004332437.tif 000010
【図９】
2004332437.tif 000011